(57)【要約】      （修正有）【課題】複数の血液浄化器を併用する際、予め各血液浄化器を血液回路に接続し、透析監視装置にセッティングした後にプライミングする方法において、血液浄化器への空気の混入や、異なる充填液の流入および混合を防止し、さらには作業者への時間や労力の負担を軽減することが可能な血液浄化システムを提供する。【解決手段】２つ以上の血液浄化器２００，３００と、血液浄化器の脱血側と返血側に接続される回路とを備えてなる血液浄化システム１００であって、血液浄化器を並列する迂回回路を１通り以上有し、迂回回路が、２つ以上の血液浄化器の少なくともいずれかの脱血側と返血側の回路に接続されてなり、かつ、迂回回路の接続部それぞれに流路切替手段を有し、流路切替手段が選択的に開閉することを特徴とする、血液浄化システム。【選択図】図２Ａ
2020096661.tif 000002
【特許請求の範囲】
【請求項１】
２つ以上の血液浄化器と、前記血液浄化器の脱血側と返血側に接続される回路とを備えてなる血液浄化システムであって、
前記血液浄化器を並列する迂回回路を１通り以上有し、
前記迂回回路が、前記２つ以上の血液浄化器の少なくともいずれかの脱血側と返血側の回路に接続されてなり、
かつ、前記迂回回路の接続部それぞれに流路切替手段を有し、前記流路切替手段が選択的に開閉することを特徴とする、血液浄化システム。
【請求項２】
前記血液浄化器の少なくとも１つが液体で満たされている、請求項１に記載の血液浄化システム。
【請求項３】
前記血液浄化器の２つ以上が液体で満たされており、
前記血液浄化器を満たす液体が異なる、請求項１または２に記載の血液浄化システム。
【請求項４】
前記流路切替手段は、前記迂回回路が脱血側と返血側の回路に接続される部分に３方活栓が設けられたことを特徴とする、請求項１〜３のいずれかに記載の血液浄化システム。
【請求項５】
前記流路切替手段は、前記迂回回路が脱血側と返血側の回路に接続される部分から分かれる流路にクランプが設けられたことを特徴とする、請求項１〜４のいずれかに記載の血液浄化システム。
【発明の詳細な説明】
【技術分野】
【０００１】
本発明は、血液浄化システムおよびそれを用いたプライミング方法に関する。
【背景技術】
【０００２】
血液浄化療法は、血液浄化器を用いて血液から不要、あるいは有毒な物質を除去する治療方法であり、その方法には、透析・ろ過・吸着・分離などの方法がある。また、これら治療効果を高めるために、前記血液浄化器を複数併用し、治療する方法がある。また、血液浄化療法を実施する前には、使用する血液回路や前記血液浄化器の内部を生理食塩水や透析液等の液体で洗浄し、充填するプライミングという処理が一般的に実施される。
【０００３】
血液浄化器を複数併用し、治療する方法として、例えば、特許文献１には、血液中のβ２−ミクログロブリンに代表される小分子量蛋白を吸着により除去する能力に特化した血液浄化器と、血液浄化器の一つである血液透析器とを直列に接続してなる血液浄化装置が開示されている。
【０００４】
また、特許文献２には、プライミング時に血液回路の空気が、初期充填液体が充填されたウェット型の血液処理器に流入することを防止するために、血液回路とウェット型の血液処理器を取り付け、かつ、血液処理器を迂回するバイパス回路を設けた状態において、外部から返血側回路にプライミング用体液を導入して、返血側回路内にプライミング用体液を充填すると同時に血液処理器の返血側部から初期充填液体を返血側回路へ排出させる第１の工程と、その後、返血側回路からプライミング用体液を血液処理器の返血側部へと導入する第２工程とを含むプライミング方法が開示されている。
【０００５】
また、特許文献３には、第１ポートおよび第２ポートを有するドライ状態の血液処理フィルタにおいて、前記第１ポートに接続されて液体が流通する第１血液回路と、前記第２ポートに接続されて液体が流通する第２血液回路と、前記血液処理フィルタを迂回するよう前記第１血液回路と前記第２血液回路とを接続されて液体が流通する第１バイパス回路と、前記第１血液回路において前記第１バイパス回路の接続位置より前記第１ポートの近い側に接続され、前記第２血液回路において前記第１バイパス回路の接続位置より前記第２ポートから遠い側に接続されて液体が流通する第２バイパス回路と、を具備する血液処理フィルタ装置のプライミング方法であって、前記第１血液回路および前記第２血液回路の各々における前記第１バイパス回路の接続位置と前記第２バイパス回路の接続位置との間をそれぞれ閉止して、前記第１血液回路から前記第１バイパス回路および前記第２血液回路を通じて前記第１血液回路から前記血液処理フィルタの内部空間へプライミング溶液を流入させ、前記第１ポートから前記第１血液回路および前記第２バイパス回路を通じて前記第２血液回路へ前記血液処理フィルタの内部空間から前記プライミング用液体を流出させる血液処理フィルタ装置のプライミング方法が開示されている。
【先行技術文献】
【特許文献】
【０００６】
【特許文献１】特開平９−２６６９４８号公報
【特許文献２】特開２０１０−１２５２０８号公報
【特許文献３】特開２０１５−１３６５１３号公報
【発明の概要】
【発明が解決しようとする課題】
【０００７】
近年、前記血液透析器を用いる血液浄化療法時のプライミングにおいて、透析監視装置を用いて、血液透析器の透析液通液側から透析液を流入させ、加圧により血液透析器内部の中空糸の外側から内側に透析液を逆ろ過し、透析液を血液透析器内に自動的に充填するプライミング（以降、逆ろ過による自動プライミング）といった方法がある。
【０００８】
逆ろ過による自動プライミングは、簡便にプライミングを行える方法であるが、内部に充填された流体の種類が異なる複数の血液浄化器を接続して用いる場合に、問題を生じることがある。
【０００９】
例えば予め内部に空気が充填されたドライタイプの血液透析器と、予め内部に液体が満たされた液体充填タイプの血液浄化器１つ以上とを接続して使用する場合、前記逆ろ過による自動プライミング方法をそのまま適用すると、前記ドライタイプの血液透析器内部の空気が、前記液体充填タイプの血液浄化器に流入してしまう虞がある。そして、一度流入した空気を前記液体充填タイプの血液浄化器から完全に除去することは困難である。前記液体充填タイプの血液浄化器が内部に吸着材を有するものである場合、空気の混入によって吸着剤の吸着性能が低下する虞もある。
【００１０】
また、例えば液体充填タイプの２つの血液浄化器を直列で接続して使用する場合であっても、充填された液体の種類が異なる場合には、前記逆ろ過による自動プライミング方法をそのまま適用すると、２つの血液浄化器内部の液体がいずれかの血液浄化器内で混ざり合う虞がある。そして、種類の異なる液体が混ざり合うことで反応し、血液浄化器の本来の浄化性能が低下する虞もある。
【００１１】
従って、一度の治療で種類の異なる血液浄化器を接続して併用する場合、所望の治療効果を得るために、血液浄化器内の流体が相互に混ざり合わないようにすることが重要となる。
【００１２】
よって、血液浄化器を接続して併用する場合には、それぞれの血液浄化器を個別に手動もしくは自動プライミングし、その後、それらを接続する方法を採ることが考えられる。しかしこれらの操作は煩雑、かつ時間を要することから、作業者の負担の増大を避け難い。
【００１３】
上記したとおり、特許文献２に記載のプライミング方法では、例えばドライタイプの血液透析器と、液体充填タイプの血液浄化器１つ以上とを接続して使用する場合、液体充填タイプの血液浄化器にドライタイプの血液透析器内部にあった空気が混入をしてしまう虞がある。
【００１４】
また、特許文献２および３のプライミング方法では、ドライタイプの血液透析器と、種類の異なる液体充填タイプの血液浄化器２つとを接続して使用する場合、それぞれの液体同士が混合してしまう虞がある。
【００１５】
そこで、本発明は、２つ以上の血液浄化器を併用する際であっても簡易にプライミングが可能な血液浄化システムを提供する。すなわち、血液浄化器のそれぞれに予め充填されていた流体がプライミングによって相互に混合することを防止することによって、作業者への時間や労力の負担を軽減することが可能な血液浄化システムを提供する。
【課題を解決するための手段】
【００１６】
上記課題を解決するために、本発明の血液浄化システムは次の構成を有する。
【００１７】
すなわち、２つ以上の血液浄化器と、前記血液浄化器の脱血側と返血側に接続される回路とを備えてなる血液浄化システムであって、
前記血液浄化器を並列する迂回回路を１通り以上有し、
前記迂回回路が、前記２つ以上の血液浄化器の少なくともいずれかの脱血側と返血側の回路に接続されてなり、
かつ、前記迂回回路の接続部それぞれに流路切替手段を有し、前記流路切替手段が選択的に開閉することを特徴とする、血液浄化システムである。
【発明の効果】
【００１８】
本発明によれば、２つ以上の血液浄化器を併用する場合であっても、簡易にプライミングが可能な血液浄化システムを得ることができる。本発明の血液浄化システムにおいては、血液浄化器のそれぞれに予め充填されていた流体がプライミングによって相互に混合することを防止できる。その結果、作業者への時間や労力の負担を軽減することが可能となる。
【図面の簡単な説明】
【００１９】
【図１】従来の血液浄化システムの概略構成図である。
【図２Ａ】本発明の第一の実施形態に係る血液浄化システムの概略構成図である。
【図２Ｂ】本発明の第一の実施形態であって、迂回回路Ａを強調して表した概略構成図である。
【図２Ｃ】本発明の第一の実施形態であって、第一のプライミング処理工程における通液経路を強調して表した概略構成図である。
【図２Ｄ】本発明の第一の実施形態であって、第二のプライミング処理工程における通液経路を強調して表した概略構成図である。
【図２Ｅ】本発明の第一の実施形態であって、第三のプライミング処理工程における通液経路を強調して表した概略構成図である。
【図３Ａ】本発明の第二の実施形態に係る血液浄化システムの概略構成図である。
【図３Ｂ】本発明の第二の実施形態であって、迂回回路Ｂを強調して表した概略構成図である。
【図３Ｃ】本発明の第二の実施形態であって、迂回回路Ｃを強調して表した概略構成図である。
【図３Ｄ】本発明の第二の実施形態であって、第一のプライミング処理工程における通液経路を強調して表した概略構成図である。
【図３Ｅ】本発明の第二の実施形態であって、第二のプライミング処理工程における通液経路を強調して表した概略構成図である。
【図３Ｆ】本発明の第二の実施形態であって、第三のプライミング処理工程における通液経路を強調して表した概略構成図である。
【図３Ｇ】本発明の第二の実施形態であって、第四のプライミング処理工程における通液経路を強調して表した概略構成図である。
【図４】本発明の第三の実施形態に係る血液浄化システムの概略構成図である。
【発明を実施するための形態】
【００２０】
本発明は、次の構成を有する血液浄化システムに関する。
【００２１】
すなわち、２つ以上の血液浄化器と、前記血液浄化器の脱血側と返血側に接続される回路とを備えてなる血液浄化システムであって、
前記血液浄化器を並列する迂回回路を１通り以上有し、
前記迂回回路が、前記２つ以上の血液浄化器の少なくともいずれかの脱血側と返血側の回路に接続されてなり、
かつ、前記迂回回路の接続部それぞれに流路切替手段を有し、前記流路切替手段が選択的に開閉することを特徴とする、血液浄化システムである。
【００２２】
本発明において、脱血側とは血液浄化器に血液が流入する血液流入ポート側のことであり、返血側とは血液浄化器から血液が流出する流出ポート側のことである。
【００２３】
また、本発明において、単に回路と呼称する場合、一方の接続部と、もう一方の接続部を繋ぐ１つのライン（管状部分）のことを表している。
【００２４】
＜第一の実施形態＞
本発明の透析システムの実施形態の一例を用いて、図面を参照しながらプライミング手順を説明する。本発明の要旨が変更されない範囲において、本実施形態および手順が適宜変更されてもよい。
【００２５】
図１は、従来の血液浄化システムの概略構成図である。
【００２６】
図２Ａは、本発明の第一の実施形態に係る血液浄化システムの概略構成図であり、図２Ｂは、本発明の第一の実施形態であって、迂回回路Ａを強調して表した概略構成図である。
【００２７】
図２Ａにおいて、血液浄化システム１００は、血液回路６００と血液浄化器２００と血液浄化器３００とを有する。なお、透析液供給カプラ８０１および透析液供給カプラ８０２の両方と、透析監視装置８００とをそれぞれ繋ぐ回路と、透析監視装置８００は、血液浄化システム１００に含まれない。そして、血液回路６００は、血液浄化システム１００において、血液浄化器を除く構成全てを表す。すなわち、血液回路６００は、血液を血液浄化器２００に通液させるための回路および接続機構Ａ６０１と、前記血液浄化器２００と血液浄化器３００とを直列に接続するための回路および接続機構Ｂ６０２と接続機構Ｃ６０３と、前記血液浄化器３００に血液を流通させる回路および接続機構Ｄ６０４と、を有する。
【００２８】
前記血液浄化器２００は、ドライタイプの血液透析器であり、血液流入ポート２０１と血液流出ポート２０２と透析液流入ポート２０３と透析液流出ポート２０４とを有する。
【００２９】
前記血液浄化器３００は、予め内部に液体が充填されており、体内から取り出した血液から除去対象成分を吸着除去する吸着材を有し、血液流入ポート３０１と血液流出ポート３０２とを有する。
【００３０】
透析監視装置８００は、透析液を前記血液浄化器２００内部の中空糸内部に透析液を流入させ、前期血液浄化器２００から流出した透析液を回収する手段を備えており、前記接続機構Ａ６０１の返血側に流路の開放もしくは閉鎖を切替可能な第１のクランプ６４０と前記接続機構Ｄ６０４の脱血側に流路の開放もしくは閉鎖を切替可能な第２のクランプ６５０と、を有する。
【００３１】
図２Ｂにおいて、血液回路６００は、前記血液浄化器３００を並列する迂回回路Ａ６１０を有し、前記迂回回路Ａ６１０の両端は、一方は前記第２のクランプ６５０と前記接続機構Ｄ６０４との間のいずれかの箇所で接続されており、流れを分岐させることなく流路切替可能な第１の流路切替手段６６０を有し、他方は前記接続機構Ｃ６０２と前記接続機構Ｄ６０３との間のいずれかの箇所で接続されており、流れを分岐させることなく流路切替可能な第２の流路切替手段６７０を有している。
【００３２】
次に、図２Ａ〜図２Ｅを用いて、本実施形態に係るプライミング方法の一例を手順（１）〜（３）の順に説明する。
【００３３】
本発明は図２Ａに示す初期状態から開始され、いかに記載する手順（１）〜（４）の順に実施されることが好ましい。
【００３４】
［手順（１）］（プライミング準備工程）
図２Ａおよび図２Ｂを参照して手順（１）を説明する。図２Ａより、作業者は、前記透析液流入ポート２０３と前透析液供給カプラ８０１とを接続し、前記透析液排出ポート２０４と透析液回収カプラ８０２とを接続させる。
【００３５】
次いで、前記血液流入ポート２０１と接続機構Ｂ６０２とを接続させ、血液流出ポート２０２と接続機構Ａ６０１とを接続させ、前記血液流入ポート３０１と前記接続機構Ｄ６０４とを接続させ、前記血液流出ポート３０２と接続機構Ｃ６０３とを接続させる。
【００３６】
次いで、前記血液回路６００の両端を前記透析監視装置８００に付帯されている排液ポート（図示せず）に取り付け、前記第１のクランプ６４０を閉鎖させ、前記第２のクランプ６５０を開放させる。
【００３７】
次いで、図２Ｂにおいて、前記第１の流路切替手段６６０および前記第２の流路切替手段６７０を用いて、前記血液回路６００を流れる流体を前記血液浄化器３００に通液させることなく、図２Ｂに示す前記迂回回路Ａ６１０に通液させるように流路を切替える。
【００３８】
［手順（２）］（第１のプライミング処理工程）
図２Ｃを参照して手順（２）を説明する。作業者は、前記透析監視装置８００の図示されていない操作部を操作することにより、透析液を、前記透析液供給カプラ８０１を介して、前記血液浄化器２００へ流入させ、逆ろ過により前記血液流入ポート２０１へ透析液を通液させ、通液経路Ａ７０１に透析液を通液させ、前記血液回路６００の図示されていない先端から排出させる。通液させる透析液は、前記通液経路Ａ７０１を通液する透析液に含まれる空気が無くなるまで通液させる。
【００３９】
これにより前記血液浄化器２００の大部分がプライミングされる。
【００４０】
［手順（３）］（第２のプライミング処理工程）
図２Ｄを参照して手順（３）を説明する。作業者は、前記第１の流路切替手段６６０および前記第２の流路切替手段６７０を用いて、前記血液回路６００を流れる流体を前記血液浄化器３００に通液させるように流路を切替える。
【００４１】
次いで、通液経路Ｂ７０２に透析液を通液させ、前記血液回路６００の図示されていない先端から排出させる。
【００４２】
通液させる透析液量は、前記血液浄化器３００の販売メーカー推奨の透析液量であることが好ましい。
【００４３】
これにより前記血液浄化器３００に空気を混入させることなく、前記血液浄化器３００がプライミングされる。
【００４４】
［手順（４）］（第３のプライミング処理工程）
図２Ｅを参照して手順（４）を説明する。前記第２のクランプ６５０を閉鎖させ、前記第１のクランプ６４０を開放させ、前記血液流出ポート２０２から通液経路Ｃ７０３に透析液を通液させ、透析液に含まれる空気が無くなるまで通液させる。
【００４５】
通液させる透析液量は前記血液浄化器２００内部の空気および通液経路Ｃ７０３に含まれる空気が無くなるまで通液させることが好ましい。
【００４６】
これにより前記血液浄化器２００がプライミングされる。
【００４７】
これら（１）〜（４）の工程（プライミング準備工程、第１のプライミング処理工程、第２のプライミング処理工程、第３のプライミング処理工程）を経ることにより、前記血液浄化器２００および前記血液浄化器３００のプライミングが完了される。
【００４８】
以上説明した実施形態に係る血液浄化システムを用いてプライミングを実施すれば、血液回路および複数の血液浄化器を接続した状態において、血液浄化器に空気を混入させることなくプライミングが可能となり、作業者への負担を軽減することが可能となる。
【００４９】
＜第二の実施形態＞
本発明の血液浄化システムの実施形態の一例を用いて、図面を参照しながらプライミング手順を説明する。本発明の要旨が変更されない範囲において、本実施形態および手順が適宜変更されてもよい。
【００５０】
まず図３Ａ〜図３Ｃを用いて、本実施形態に係る血液浄化システムの構成について説明する。
【００５１】
図３Ａにおいて、血液回路６００は、血液を前記血液浄化器２００に通液させるための回路および接続機構Ａ６０１と、前記血液浄化器２００と血液浄化器３００とを直列に接続するための回路および接続機構Ｅ６０５と接続機構Ｆ６０６と、前記血液浄化器３００と血液浄化器４００とを直列に接続するための回路および接続機構Ｇ６０７と接続機構Ｈ６０８と、前記血液浄化器４００に血液を通液させるための回路および接続機構Ｉ６０９と、を有する。
【００５２】
前記血液浄化器２００は、ドライタイプの血液透析器であり、血液流入ポート２０１と血液流出ポート２０２と透析液流入ポート２０３と透析液流出ポート２０４とを有する。
【００５３】
前記血液浄化器３００は、予め内部に液体が充填されており、体内から取り出した血液から除去対象成分を吸着させて除去する吸着材を有し、血液流入ポート３０１と血液流出ポート３０２と有する。
【００５４】
前記血液浄化器４００は、予め内部に液体が充填されており、体内から取り出した血液から除去対象成分を吸着除去する吸着材を有し、血液流入ポート４０１と血液流出ポート４０２と有する。前記血液浄化器４００に予め充填される液体は、前記血液浄化器３００に予め充填される液体と異なる液体である。
【００５５】
透析監視装置８００は、透析液を前記血液浄化器２００内部の中空糸内部に透析液を流入させ、前期血液浄化器２００から流出した透析液を回収する手段を備えており、前記接続機構Ａ６０１の返血側に流路の開放もしくは閉鎖を切替可能な第１のクランプ６４０と前記接続機構Ｉ６０９の脱血側に流路の開放もしくは閉鎖を切替可能な第２のクランプ６５０と、を有する。
【００５６】
図３Ｂにおいて、前記血液回路６００は、前記血液浄化器３００および前記血液浄化器４００を迂回する迂回回路Ｂ６２０を有し、前記迂回回路Ｂ６２０の両端は、一方が前記第２のクランプ６５０と前記接続機構Ｉ６０９との間のいずれかの箇所で接続されており、流れを分岐させることなく流路切替可能な第１の流路切替手段６６０を有し、他方が前記接続機構Ｅ６０５と前記接続機構Ｆ６０６との間のいずれかの箇所で接続されており、流れを分岐させることなく流路切替可能な第２の流路切替手段６７０を有している。
【００５７】
図３Ｃにおいて、前記血液回路６００は、前記迂回回路Ｂ６２０のいずれかの箇所から分岐しており、分岐した回路は前記接続機構Ｇ６０７と前記接続機構Ｈ６０８とを結ぶ回路のいずれかの部分と接続される。分岐部および接続部にはそれぞれ流れを分岐させることなく流路切替可能な第３の流路切替手段６８０および第４の流路切替手段６９０を有し、前記血液浄化器４００を迂回する迂回回路Ｃ６３０を有する。
【００５８】
次に、図３Ａ〜図３Ｇを用いて、本実施形態に係るプライミング方法の一例を手順（１）〜（５）の順に説明する。
【００５９】
［手順（１）］（プライミング準備工程）
図３Ａを参照して手順（１）を説明する。前記第一の実施形態の手順（１）に示す手順と同様に、図３Ａの回路構成になるように接続する。次いで、前記血液回路６００の両端を前記透析監視装置８００に付帯されている排液ポート（図示せず）に取り付け、前記第１のクランプ６４０を閉鎖させ、前記第２のクランプ６５０を開放させる。
【００６０】
次いで、前記第１の流路切替手段６６０および前記第２の流路切替手段６７０および前記第３の流路切替手段６８０を用いて、前記血液回路６００を流れる流体を前記血液浄化器３００および前記血液浄化器４００に通液させないように、図３Ｂに示す前記迂回経路Ｂ６２０に通液させるように流路を切替える。
【００６１】
［手順（２）］（第１のプライミング処理工程）
図３Ｄを参照して手順（２）を説明する。作業者は、前記透析監視装置８００の図示されていない操作部を操作することにより、透析液を、前記透析液供給カプラ８０１を通じて、前記血液浄化器２００へ流入させ、逆ろ過により前記血液流入ポート２０１へ透析液を通液させ、通液経路Ｄ７０４に透析液を通液させ、前記血液回路６００の図示されていない先端から排出させる。通液させる透析液量は、前記通液経路Ｅ７０４を通液する回路内に空気が無くなるまで通液させる。
【００６２】
これにより前記血液浄化器２００の大部分がプライミングされる。
【００６３】
［手順（３）］（第２のプライミング処理工程）
図３Ｅを参照して手順（３）を説明する。前記第１の流路切替手段６６０および前記第２の流路切替手段６７０および前記第３の流路切替手段６８０および前記第４の流路切替手段６９０を用いて、前記血液回路を流れる流体を前記血液浄化器３００には通液させる、一方で、前記血液浄化器４００に通液させないように、図３Ｃに示す前記迂回経路Ｃ６３０に通液させるように流路を切替える。
【００６４】
次いで、通液経路Ｅ７０５に透析液を通液させ、前記血液回路６００の図示されていない先端から排出させる。通液させる透析液量は、前記血液浄化器３００の販売メーカー推奨の透析液量であることが好ましい。
【００６５】
これにより前記血液浄化器３００に空気を混入させることなく、前期血液浄化器３００がプライミングされる。
【００６６】
［手順（４）］（第３のプライミング処理工程）
図３Ｆを参照して手順（４）を説明する。前記第１の流路切替手段６６０および前記第２の流路切替手段６７０および前記第４の流路切替手段６９０を用いて、前記血液回路を流れる流体を前記血液浄化器３００および前記血液浄化器４００に通液するように流路を切替える。
【００６７】
次いで、通液経路Ｆ７０６に透析液を通液させ、前記血液回路６００の図示されていない先端から排出させる。通液させる透析液量は、前記血液浄化カラム４００の販売メーカー推奨以上の透析液量であることが好ましい。
【００６８】
これにより前記血液浄化器４００に空気を混入させることなく、かつ、前記血液浄化器３００に予め充填される液体が前記血液浄化器４００に流入することなく、前記血液浄化器４００がプライミングされる。
【００６９】
［手順（５）］（第４のプライミング工程）
図３Ｇを参照して手順（４）を説明する。前記第２のクランプ６５０を閉鎖させ、前記第１のクランプ６４０を開放させ、前記血液浄化器２００の血液流出ポートから通液経路Ｇ７０７に透析液を通液させる。
【００７０】
通液させる透析液量は前記血液浄化器２００内部の空気および通液経路Ｇ７０７に含まれる空気が無くなるまで通液させることが好ましい。
【００７１】
これにより前記血液浄化器２００がプライミングされる。
【００７２】
これら（１）〜（５）の工程（プライミング準備工程、第１のプライミング処理工程、第２のプライミング処理工程、第３のプライミング処理工程、第４のプライミング処理工程）を経ることにより、前記血液浄化器２００および前記血液浄化器３００および前記血液浄化器４００および前記血液回路６００のプライミングが完了される。
【００７３】
第二の実施形態は、上述した迂回回路以外に、前記血液浄化器３００のみを迂回する迂回回路も存在する。そのため、使用する血液浄化器の状態において適宜適切な迂回回路を使用することも可能である。
【００７４】
＜第三の実施形態＞
また、第二の実施形態と同じく、血液浄化器を３つ接続した場合であって、異なる迂回回路を使用した別の実施形態の一例として、図４に示す構成を示す。すなわち、図４は、本発明の第三の実施形態に係る血液浄化システムの概略構成図である。
【００７５】
以上説明した実施形態に係る透析システムを用いてプライミングを実施すれば、血液回路および複数の血液浄化器を接続した状態において、血液浄化器に空気を混入させることなく、また血液浄化器に予め充填される異なる液体を混合させることなく、プライミングが可能となり、血液浄化器が有する血液浄化性能を損なうことなく、かつ、作業者への負担を軽減することが可能となる。
【００７６】
＜流路切替手段＞
前記第１〜第４の流路切替手段は流れを分岐させることなく流路切替が可能であればよく、電磁弁などの電気的な信号を用いて、流路の切替を実施してもよく、三方活栓などを用いて手動で切替えてもよい。
【００７７】
上記説明した実施形態だけでなく、逆ろ過によるプライミング以外のプライミング方法においても本発明は実施可能である。
【符号の説明】
【００７８】
１００  血液浄化システム
２００  血液浄化器
２０１  血液流入ポート
２０２  血液流出ポート
２０３  透析液流入ポート
２０４  透析液流出ポート
３００  血液浄化器
３０１  血液流入ポート
３０２  血液流出ポート
４００  血液浄化器
６００  血液回路
６０１  接続機構Ａ
６０２  接続機構Ｂ
６０３  接続機構Ｃ
６０４  接続機構Ｄ
６０５  接続機構Ｅ
６０６  接続機構Ｆ
６０７  接続機構Ｇ
６０８  接続機構Ｈ
６０９  接続機構Ｉ
６１０  迂回回路Ａ
６２０  迂回回路Ｂ
６３０  迂回回路Ｃ
６４０  第１のクランプ
６５０  第２のクランプ
６６０  第１の流路切替手段
６７０  第２の流路切替手段
６８０  第３の流路切替手段
６９０  第４の流路切替手段
７０１  通液経路Ａ
７０２  通液経路Ｂ
７０３  通液経路Ｃ
７０４  通液経路Ｄ
７０５  通液経路Ｅ
７０６  通液経路Ｆ
７０７  通液経路Ｇ
８００  透析監視装置
８０１  透析液供給カプラ
８０２  透析液回収カプラ
【図１】
2020096661.tif 000003
【図２Ａ】
2020096661.tif 000004
【図２Ｂ】
2020096661.tif 000005
【図２Ｃ】
2020096661.tif 000006
【図２Ｄ】
2020096661.tif 000007
【図２Ｅ】
2020096661.tif 000008
【図３Ａ】
2020096661.tif 000009
【図３Ｂ】
2020096661.tif 000010
【図３Ｃ】
2020096661.tif 000011
【図３Ｄ】
2020096661.tif 000012
【図３Ｅ】
2020096661.tif 000013
【図３Ｆ】
2020096661.tif 000014
【図３Ｇ】
2020096661.tif 000015
【図４】
2020096661.tif 000016